(57)【要約】  一例では、第1のワイヤレスデバイスによるワイヤレス通信のための方法が開示され、本方法は、第1のワイヤレスデバイスと少なくとも1つの第2のワイヤレスデバイスとの間のワイヤレス通信のための環境に関する情報を取得するステップと、その情報に基づいてワイヤレス通信のための1つまたは複数の動作パラメータを調整するステップとを含む。本明細書で説明するように、第1のRAT内の1つのサービスまたはアプリケーションからの情報は、第1のワイヤレスデバイスによる第2のRAT内の別のサービスまたはアプリケーション内の性能を向上させるために第1のワイヤレスデバイスによって使用される。
2021510956.tif 000002
【特許請求の範囲】
【請求項１】
第1のワイヤレスデバイスによるワイヤレス通信のための方法であって、
前記第1のワイヤレスデバイスと少なくとも1つの第2のワイヤレスデバイスとの間のワイヤレス通信のための環境に関する情報を取得するステップと、
前記情報に基づいて前記ワイヤレス通信のための1つまたは複数の動作パラメータを調整するステップと
を含む、方法。
【請求項２】
前記情報が、前記第1のワイヤレスデバイスの異なるレイヤ間の情報のサービス間交換を介して取得される、請求項1に記載の方法。
【請求項３】
前記調整するステップが、前記第1のワイヤレスデバイスおよび前記第2のワイヤレスデバイスのうちの少なくとも1つの能力にも基づく、請求項1に記載の方法。
【請求項４】
前記情報が、
前記第1のワイヤレスデバイスの速度およびロケーション、前記第2のワイヤレスデバイスの速度およびロケーション、または前記第1のワイヤレスデバイスと前記第2のワイヤレスデバイスとの間の相対速度のうちの少なくとも1つを含む、請求項1に記載の方法。
【請求項５】
前記1つまたは複数の動作パラメータが、変調およびコーディング方式(MCS)を含む、請求項1に記載の方法。
【請求項６】
前記情報が、ターゲットのデータレート、ターゲットのリンクバジェット、および速度を含み、
前記調整するステップが、前記ターゲットのデータレート、前記ターゲットのリンクバジェット、および前記速度に基づいて、MCS、基準信号(RS)パターン、および多入力多出力(MIMO)モードの組合せを選択するステップを含む、請求項5に記載の方法。
【請求項７】
前記調整するステップが、基準信号(RS)送信のために使用されるリソースの量を調整するステップを含む、請求項5に記載の方法。
【請求項８】
前記調整するステップが、
前記MCS、および前記第1のワイヤレスデバイスと前記第2のワイヤレスデバイスとの間の相対速度に基づいて、RSパターンのセットからRSパターンを選択するステップを含む、請求項7に記載の方法。
【請求項９】
前記調整するステップが、前記情報に基づいて多入力多出力(MIMO)モードを選択するステップを含む、請求項1に記載の方法。
【請求項１０】
前記選択するステップが、前記第1のワイヤレスデバイスと前記第2のワイヤレスデバイスとの間の距離に基づいて、ビームフォーミング送信モードまたは空間多重化モードを選択するステップを含む、請求項9に記載の方法。
【請求項１１】
あるマルチキャスト情報を受信することを、ロケーションおよび移動情報に基づいて決定するステップと、
前記あるマルチキャスト情報の再送信をトリガするために、フィードバックを第2のワイヤレスデバイスに送るステップと
をさらに含む、請求項1に記載の方法。
【請求項１２】
前記調整するステップに利用可能なオプションを制限するネットワークシグナリングを受信するステップをさらに含む、請求項1に記載の方法。
【請求項１３】
前記ネットワークシグナリングが、基準信号(RS)パターンに対する制限されたオプションを示す、請求項12に記載の方法。
【請求項１４】
前記ネットワークシグナリングが、
第1のシナリオにおいて使用するための1つまたは複数のRSパターンの第1のセットと、
第2のシナリオにおいて使用するための1つまたは複数のRSパターンの第2のセットと
を示す、請求項13に記載の方法。
【請求項１５】
少なくとも1つのプロセッサと、前記少なくとも1つのプロセッサに結合されたメモリとを備える、第1のワイヤレスデバイスによるワイヤレス通信のための装置であって、前記プロセッサが、
前記第1のワイヤレスデバイスと少なくとも1つの第2のワイヤレスデバイスとの間のワイヤレス通信のための環境に関する情報を取得することと、
前記情報に基づいて前記ワイヤレス通信のための1つまたは複数の動作パラメータを調整することと
を行うように構成される、装置。
【請求項１６】
前記少なくとも1つのプロセッサが、前記第1のワイヤレスデバイスの異なるレイヤ間の情報のサービス間交換を介して前記情報を取得するように構成される、請求項15に記載の装置。
【請求項１７】
前記少なくとも1つのプロセッサが、前記第1のワイヤレスデバイスおよび前記第2のワイヤレスデバイスのうちの少なくとも1つの能力にさらに基づいて、前記1つまたは複数の動作パラメータを調整するように構成される、請求項15に記載の装置。
【請求項１８】
前記情報が、前記第1のワイヤレスデバイスの速度およびロケーション、前記第2のワイヤレスデバイスの速度およびロケーション、または前記第1のワイヤレスデバイスと前記第2のワイヤレスデバイスとの間の相対速度のうちの少なくとも1つを含む、請求項15に記載の装置。
【請求項１９】
前記1つまたは複数の動作パラメータが、変調およびコーディング方式(MCS)を含む、請求項15に記載の装置。
【請求項２０】
前記情報が、ターゲットのデータレート、ターゲットのリンクバジェット、および速度を含み、
前記少なくとも1つのプロセッサが、前記ターゲットのデータレート、前記ターゲットのリンクバジェット、および前記速度に基づいて、MCS、基準信号(RS)パターン、および多入力多出力(MIMO)モードの組合せを選択することによって前記1つまたは複数の動作パラメータを調整するように構成される、請求項19に記載の装置。
【請求項２１】
前記少なくとも1つのプロセッサが、基準信号(RS)送信のために使用されるリソースの量を調整することによって、前記1つまたは複数の動作パラメータを調整するように構成される、請求項19に記載の装置。
【請求項２２】
前記少なくとも1つのプロセッサが、前記MCS、および前記第1のワイヤレスデバイスと前記第2のワイヤレスデバイスとの間の相対速度に基づいて、RSパターンのセットからRSパターンを選択することによって、前記1つまたは複数の動作パラメータを調整するように構成される、請求項21に記載の装置。
【請求項２３】
前記少なくとも1つのプロセッサが、前記情報に基づいて多入力多出力(MIMO)モードを選択することによって、前記1つまたは複数の動作パラメータを調整するように構成される、請求項15に記載の装置。
【請求項２４】
前記選択することが、前記第1のワイヤレスデバイスと前記第2のワイヤレスデバイスとの間の距離に基づいて、ビームフォーミング送信モードまたは空間多重化モードを選択することを含む、請求項23に記載の装置。
【請求項２５】
前記少なくとも1つのプロセッサが、
あるマルチキャスト情報を受信することを、ロケーションおよび移動情報に基づいて決定することと、
前記あるマルチキャスト情報の再送信をトリガするために、フィードバックを第2のワイヤレスデバイスに送ることと
を行うようにさらに構成される、請求項15に記載の装置。
【請求項２６】
前記少なくとも1つのプロセッサが、前記調整することに利用可能なオプションを制限するネットワークシグナリングを受信するようにさらに構成される、請求項15に記載の装置。
【請求項２７】
前記ネットワークシグナリングが、基準信号(RS)パターンに対する制限されたオプションを示す、請求項26に記載の装置。
【請求項２８】
前記ネットワークシグナリングが、
第1のシナリオにおいて使用するための1つまたは複数のRSパターンの第1のセットと、
第2のシナリオにおいて使用するための1つまたは複数のRSパターンの第2のセットと
を示す、請求項27に記載の装置。
【請求項２９】
第1のワイヤレスデバイスによるワイヤレス通信のための装置であって、
前記第1のワイヤレスデバイスと少なくとも1つの第2のワイヤレスデバイスとの間のワイヤレス通信のための環境に関する情報を取得するための手段と、
前記情報に基づいて前記ワイヤレス通信のための1つまたは複数の動作パラメータを調整するための手段と
を含む、装置。
【請求項３０】
第1のワイヤレスデバイスによるワイヤレス通信のための命令が記憶されたコンピュータ可読記録媒体であって、前記命令が、プロセッサによって実行されると、前記第1のワイヤレスデバイスに、
前記第1のワイヤレスデバイスと少なくとも1つの第2のワイヤレスデバイスとの間のワイヤレス通信のための環境に関する情報を取得することと、
前記情報に基づいて前記ワイヤレス通信のための1つまたは複数の動作パラメータを調整することと
を行わせる、コンピュータ可読記録媒体。
【発明の詳細な説明】
【技術分野】
【０００１】
関連出願の相互参照
本出願は、両出願の全体が参照により明確に本明細書に組み込まれている、2018年1月12日に出願した「Enhanced Physical Layer Performance By Inter-Service Information」と題する米国仮特許出願第62/616,548号の優先権および利益を主張する、2019年1月9日に出願した米国出願第16/243,820号の優先権を主張する。
【０００２】
本開示のいくつかの態様は、一般にワイヤレス通信に関し、より詳細には、ビークルツーエブリシング(V2X:vehicle-to-everything)通信システム内の追加の基準信号の使用のための方法および装置に関する。
【背景技術】
【０００３】
ワイヤレス通信システムは、電話、ビデオ、データ、メッセージング、およびブロードキャストなどの様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用してもよい。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含んでもよい。LTEまたはLTE-Aネットワークでは、1つまたは複数の基地局のセットがeNodeB(eNB)を定義してもよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでもよく、集約ユニットと通信する1つまたは複数の分散ユニットのセットがアクセスノード(たとえば、ニューラジオ基地局(NR BS:New Radio Base Station)、ニューラジオノードB(NR NB:New Radio Node-B)、ネットワークノード、5G NB、gNBなど)を定義してもよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してもよい。
【０００５】
これらの多元接続技術は、異なるワイヤレスデバイスが都市、国家、地域、さらには地球規模で通信することを可能にする共通プロトコルを提供するために、様々な電気通信規格において採用されている。新興の電気通信規格の一例は、ニューラジオ(NR)、たとえば5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【０００６】
ビークルツーエブリシング通信は、車両間(V2V:vehicle to vehicle)通信、車両インフラ間(V2I:vehicle to infrastructure)通信、車両グリッド間(V2G:vehicle to grid)通信、および車両人間間(V2P:vehicle to people)通信を含めて、サービスのホストを提供するために、車両が互いに通信することを可能にしようとする。従来のワイヤレス通信は、比較的遅い時間スケールにおいて必須の物理レイヤパラメータ(アンテナポートの数、MIMOレイヤの数、MCSなど)を構成するネットワークに依存する。自動車の高いモビリティ、およびV2Xアプリケーションにおけるネットワークインフラストラクチャの不足を考慮すると、車両のデバイスが、それ自体が把握した入力および他のデバイスから受信された情報を使用して、そのような必須のパラメータを用いてそれ自体を構成することを可能にするように、より動的で自律的なフレームワークが設計されるべきである。
【発明の概要】
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおける改善された通信を含む利点をどのようにもたらすかが理解されよう。
【０００８】
本開示のいくつかの態様は、第1のワイヤレスデバイスによるワイヤレス通信のための方法を提供する。方法は、第1のワイヤレスデバイスと少なくとも1つの第2のワイヤレスデバイスとの間のワイヤレス通信のための環境に関する情報を取得するステップと、その情報に基づいてワイヤレス通信のための1つまたは複数の動作パラメータを調整するステップとを含む。
【０００９】
本開示のいくつかの態様は、第1のワイヤレスデバイスによるワイヤレス通信のための装置を提供する。装置は、第1のワイヤレスデバイスと少なくとも1つの第2のワイヤレスデバイスとの間のワイヤレス通信のための環境に関する情報を取得するための手段と、その情報に基づいてワイヤレス通信のための1つまたは複数の動作パラメータを調整するための手段とを含む。
【００１０】
本開示のいくつかの態様は、第1のワイヤレスデバイスによるワイヤレス通信のための装置を提供する。この装置は、少なくとも1つのプロセッサと、少なくとも1つのプロセッサに結合されたメモリとを含む。少なくとも1つのプロセッサは、第1のワイヤレスデバイスと少なくとも1つの第2のワイヤレスデバイスとの間のワイヤレス通信のための環境に関する情報を取得することと、その情報に基づいてワイヤレス通信のための1つまたは複数の動作パラメータを調整することとを行うように構成される。
【００１１】
本開示のいくつかの態様は、第1のワイヤレスデバイスと少なくとも1つの第2のワイヤレスデバイスとの間のワイヤレス通信のための環境に関する情報を取得することと、その情報に基づいてワイヤレス通信のための1つまたは複数の動作パラメータを調整することとを行うように構成された命令を含む、第1のワイヤレスデバイスによるワイヤレス通信のためのコンピュータ可読媒体を提供する。
【００１２】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用されてもよい様々な方法のほんのいくつかを示すものであり、この説明は、すべてのそのような態様およびそれらの均等物を含むものである。
【００１３】
本開示の上記の特徴が詳細に理解されてもよいように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって本開示の範囲を限定するものと見なされるべきではないことに留意されたい。
【図面の簡単な説明】
【００１４】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、ニューラジオ(NR)システムのためのフレームフォーマットの一例を示す図である。
【図７】本開示の態様による、車両間の直接通信を用いるV2Xシステムを示す図である。
【図８】本開示の態様による、車両間のネットワーク通信を用いるV2Xシステムを示す図である。
【図９】本開示のいくつかの態様による、V2Xのワイヤレス通信のための例示的な動作を示すフロー図である。
【図１０】本開示の態様による、本明細書で開示する技法のための動作を実行するように構成された様々な構成要素を含み得る例示的な通信デバイスを示す図である。
【発明を実施するための形態】
【００１５】
理解を容易にするために、可能な場合、図に共通する同一の要素を示すために、同一の参照番号が使用されている。特定の記載なしに、一実施形態において開示する要素が他の実施形態において有利に利用されてもよいことが企図される。
【００１６】
本開示の態様は、アプリケーション間と呼ばれることがあるサービス間の情報共有のための装置、方法、処理システム、およびコンピュータ可読媒体を提供する。異なるサービスまたはアプリケーションは、無線周波数スペクトルの一定の周波数部分内で動作する異なるRATと関連付けられ得る。UEまたは車両は、第1のRATおよび第2のRAT内で同時に動作するように構成され得る。各RATは、サービスまたはアプリケーションを提示し得る。本明細書で説明するように、第1のRAT内の1つのサービスまたはアプリケーションからの情報は、第2のRAT内の別のサービスまたはアプリケーション内の性能を向上させるために車両によって使用される。
【００１７】
従来のワイヤレス通信システムでは、異なるサービスは、プロトコルスタックの下位のネットワークレイヤ(MACおよびPHYレイヤ)において個別に取り扱われる。サービスは、たとえば、音声、ビデオ、協調認識、センサ共有、プラトーン走行(platooning)、および測位を指す場合がある。加えて、従来のワイヤレス通信システムでは、MCS、送信または受信に使用するためのアンテナポートの数、多重化空間レイヤの数、基準信号パターン、および/または送信電力など、いくつかの下位のネットワークレイヤパラメータが、ネットワークに少なくとも部分的に基づいて設定される。たとえば、UEは、チャネル品質または基準信号受信電力を測定し、測定値をネットワークに報告し得る。ネットワークは、送信または受信に使用するために、UEに対する1つまたは複数のパラメータの表示を送信し得る。
【００１８】
ビークルツーエブリシング(V2X)通信および車両間(V2V)通信は、LTEなどの従来の通信システムとは異なる。V2Vは、V2X通信の1つのタイプである。V2X通信では、車両または従属エンティティは、互いに直接通信する。V2V通信では、基本的な安全情報が送信され、第1の車両は、その速度、ロケーション、および/または方向についての情報をワイヤレスに送信する。基本的な安全情報は、第1の車両が、第1の車両に近接する他の車両の認識を得るために、全方向メッセージをブロードキャストして受信することを可能にする。したがって、V2V対応車両は、それが展開する間、潜在的な安全上の脅威を含めて、物理的環境について学習するために、周囲の車両からのメッセージを使用する。
【００１９】
各車両は、その速度、ロケーションおよび方向を認識している。V2V通信に基づいて、車両は、その車両に近接している他の車両の速度、ロケーションおよび方向をも認識している。本明細書で説明するように、車両は、いくつかの送信および受信パラメータ(たとえば、ネットワークと通信しない)と、車両が他の車両から受信することを欲する情報とを自律的に決定し得る。加えて、車両は、第2のRAT内の別のサービスの性能を向上させるために、第1のRAT内の1つのサービスからの情報を活用し得る。一例では、第1のRATは、LTE V2XまたはLTE V2V通信システムであり、第2のRATは、NR V2XまたはV2V通信システムである。本明細書で説明する態様は、交通安全およびユーザの運転経験を向上させながら、V2VまたはV2Xのオーバーヘッドを低減し得る。
【００２０】
NRは、拡張モバイルブロードバンド(eMBB)ターゲットの広い帯域幅(たとえば、80MHzを超える)、ミリメートル波(mmW)ターゲットの高いキャリア周波数(たとえば、60GHz)、マッシブMTC(mMTC)ターゲットの後方互換性がないMTC技法、および/またはミッションクリティカルターゲットの超高信頼低レイテンシ通信(URLLC)などの、様々なワイヤレス通信サービスをサポートし得る。これらのサービスは、レイテンシ要件および信頼性要件を含んでもよい。これらのサービスはまた、それぞれのサービス品質(QoS)要件を満たすための異なる送信時間間隔(TTI)を有することがある。加えて、これらのサービスは、同じサブフレームにおいて共存してもよい。
【００２１】
NRは、ネットワークスライシングの概念を導入する。たとえば、ネットワークは、異なるサービス、たとえば、インターネットオブエブリシング(IoE)、URLLC、eMBB、車両間(V2V)通信などをサポートし得る、複数のスライスを有し得る。スライスは、いくつかのネットワーク能力およびネットワーク特性を与えるために必要な、ネットワーク関数および対応するリソースのセットから成る完全な論理ネットワークとして定義され得る。
【００２２】
本開示の様々な態様は、添付の図面を参照しながら以下でより十分に説明される。しかしながら、本開示は、多くの異なる形態で具現化されてもよく、本開示全体にわたって提示される任意の特定の構造または機能に限定されるものと解釈されるべきでない。むしろ、これらの態様は、本開示が周到で完全になり、本開示の範囲を当業者に十分に伝えるために提供される。本明細書の教示に基づいて、本開示の範囲は、本開示の任意の他の態様とは独立して実施されるにしても、本開示の任意の他の態様と組み合わせて実施されるにしても、本明細書で開示する本開示のあらゆる態様を包含することを意図していることは、当業者は理解されたい。たとえば、本明細書に記載される任意の数の態様を使用して、装置が実装されてもよく、または方法が実践されてもよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化されてもよいことを理解されたい。
【００２３】
「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２４】
特定の態様について本明細書で説明するが、これらの態様の多くの変形および置換が、本開示の範囲内に入る。好ましい態様のいくつかの利益および利点について述べるが、本開示の範囲は、特定の利益、用途、または目的に限定されるものではない。そうではなく、本開示の態様は、様々なワイヤレス技法、システム構成、ネットワーク、および送信プロトコルに広く適用可能であることが意図され、それらのうちのいくつかが例として図および好ましい態様の以下の説明において示される。詳細な説明および図面は、限定ではなく、本開示の単なる例示であり、本開示の範囲は、添付の特許請求の範囲およびその均等物によって定義される。
【００２５】
本明細書で説明する技法は、CDMA、TDMA、FDMA、OFDMA、SC-FDMA、および他のネットワークなどの様々なワイヤレス通信ネットワークに使用されてもよい。「ネットワーク」および「システム」という用語は、しばしば互換的に使用される。CDMAネットワークは、ユニバーサル地上波無線アクセス(UTRA)、cdma2000などの無線技術を実装し得る。UTRAは、広帯域CDMA(WCDMA(登録商標))、時分割同期CDMA(TD-SCDMA)、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装してもよい。OFDMAネットワークは、発展型UTRA(E-UTRA)、ウルトラモバイルブロードバンド(UMB)、IEEE 802.11(Wi-Fi)、IEEE 802.16(WiMAX)、IEEE 802.20、Flash-OFDMA(登録商標)などの無線技術を実装してもよい。UTRAおよびE-UTRAは、ユニバーサルモバイルテレコミュニケーションシステム(UMTS)の一部である。3GPPロングタームエボリューション(LTE)およびLTEアドバンスト(LTE-A)は、周波数分割複信(FDD)と時分割複信(TDD)の両方において、ダウンリンク上でOFDMAを、またアップリンク上でSC-FDMAを採用する、E-UTRAを使用するUMTSの新たなリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに5G nextgen/NRネットワークなど、他のワイヤレスネットワークおよび無線技術のために使用され得る。
【００２６】
例示的なワイヤレス通信システム
図1は、本開示の態様が実行され得る、ニューラジオ(NR)または5Gネットワークなどの、例示的なワイヤレスネットワーク100を示す。一例では、車両は、LTE V2VおよびNR V2Vシステム内で動作し得、いくつかのサービスはLTEを使用するかまたは経験し(go through)、他のサービスはNRを使用するかまたは経験する。本明細書で説明するように、車両は、パラメータを構成し、別のサービス内のスループットを向上させるために、1つのサービスから取得された情報を使用する。下位レイヤにおけるサービス間共有は、従来のワイヤレスシステムには存在しない。さらに、従来のワイヤレス通信システムでは、ネットワークは、UEに対してこれらのパラメータを構成することに関与する。本明細書で説明するように、車両は、それらのワイヤレス環境に基づいてパラメータを決定する。
【００２７】
図1に示すように、ワイヤレスネットワーク100は、いくつかのBS110と他のネットワークエンティティとを含んでもよい。BSは、UEと通信する局であってもよい。各BS110は、特定の地理的エリアに通信カバレージを提供してもよい。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、またはTRPなどの用語は交換可能であってもよい。いくつかの例では、セルは、必ずしも静止しているとは限らないことがあり、セルの地理的エリアは、モバイル基地局のロケーションに従って移動してもよい。いくつかの例では、基地局は、任意の適切なトランスポートネットワークを使用して、直接物理接続、仮想ネットワークなどの様々なタイプのバックホールインターフェースを通じて、ワイヤレスネットワーク100内で互いに、および/または1つもしくは複数の他の基地局もしくはネットワークノード(図示せず)に相互接続されてもよい。
【００２８】
一般に、任意の数のワイヤレスネットワークが、所与の地理的エリアにおいて展開されてもよい。各ワイヤレスネットワークは、特定の無線アクセス技術(RAT)をサポートしてもよく、1つまたは複数の周波数で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてもよい。場合によっては、マルチスライスネットワークアーキテクチャを採用する、NRまたは5G RATネットワークが展開されてもよい。
【００２９】
BSは、マクロセル、ピコセル、フェムトセル、および/または他のタイプのセルのための通信カバレージを提供してもよい。マクロセルは、比較的大きい地理的エリア(たとえば、半径数キロメートル)をカバーすることができ、サービスに加入しているUEによる無制限アクセスを可能にしてもよい。ピコセルは、比較的小さい地理的エリアをカバーすることができ、サービスに加入しているUEによる無制限アクセスを可能にしてもよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてもよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれマクロセル102a、102bおよび102cのためのマクロBSであってもよい。BS110xは、ピコセル102xのためのピコBSであってもよい。BS110yおよび110zは、それぞれフェムトセル102yおよび102zのためのフェムトBSであってもよい。BSは1つまたは複数(たとえば、3つ)のセルをサポートしてもよい。
【００３０】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００３１】
ワイヤレスネットワーク100は、異なるタイプのBS、たとえばマクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してもよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００３２】
ワイヤレスネットワーク100は、同期動作または非同期動作をサポートしてもよい。同期動作の場合、BSは、同様のフレームタイミングを有することができ、異なるBSからの送信は、時間的にほぼ整合してもよい。非同期動作の場合、BSは、異なるフレームタイミングを有する場合があり、異なるBSからの送信は、時間的に整合していない場合がある。本明細書で説明する技法は、同期動作と非同期動作の両方に使用されてもよい。
【００３３】
ネットワークコントローラ130は、BSのセットに結合し、これらのBSのための調整および制御を行ってもよい。ネットワークコントローラ130は、バックホールを介してBS110と通信してもよい。BS110はまた、たとえば直接または間接的にワイヤレスバックホールもしくは有線バックホールを介して互いに通信してもよい。
【００３４】
UE120(たとえば、120x、120yなど)は、ワイヤレスネットワーク100の全体にわたって分散されてもよく、各UEは静止であってもよく、またはモバイルであってもよい。UEは、移動局、端末、アクセス端末、加入者ユニット、局、顧客構内設備(CPE: Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサ/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサ、スマートメータ/センサ、工業生産機器、全地球測位システムデバイス、またはワイヤレス媒体もしくはワイヤード媒体を介して通信するように構成される任意の他の適切なデバイスと呼ばれる場合もある。一部のUEは、発展型デバイスもしくはマシンタイプ通信(MTC)デバイスまたは発展型MTC(eMTC)デバイスと見なされる場合がある。MTC UEおよびeMTC UEは、BS、別のデバイス(たとえば、リモートデバイス)、または何らかの他のエンティティと通信することができる、たとえばロボット、ドローン、リモートデバイス、センサ、メータ、モニタ、ロケーションタグなどを含む。ワイヤレスノードは、たとえばワイヤード通信リンクまたはワイヤレス通信リンクを介して、ネットワーク(たとえば、インターネットもしくはセルラーネットワークなどのワイドエリアネットワーク)のための、またはネットワークへの接続性を提供してもよい。一部のUEは、モノのインターネット(IoT)デバイスと見なされてもよい。
【００３５】
図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、UEとBSとの間の干渉する送信を示す。
【００３６】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般にトーン、ビンなどとも呼ばれる複数(K個)の直交サブキャリアに区分する。各サブキャリアは、データで変調されてもよい。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってもよく、最小のリソース割振り(「リソースブロック」と呼ばれる)は12個のサブキャリア(または180kHz)であってもよい。その結果、公称FFTサイズは、1.25、2.5、5、10または20メガヘルツ(MHz)のシステム帯域幅に対して、それぞれ128、256、512、1024または2048に等しくなってもよい。システム帯域幅はまた、サブバンドに区分されてもよい。たとえば、サブバンドは、1.08MHz(すなわち、6個のリソースブロック)をカバーすることができ、1.25、2.5、5、10または20MHzのシステム帯域幅に対して、それぞれ1、2、4、8または16個のサブバンドが存在してもよい。
【００３７】
本開示の態様は、非限定的な例として、ニューラジオV2X(NR V2X)システムに関する装置、方法、処理システム、およびコンピュータ可読媒体に関する。他の態様は、たとえば、非限定的な例として、LTE-V2X技術に適用可能であり得る。NRは、アップリンクおよびダウンリンク上でCPを用いてOFDMを利用し、TDDを使用する半二重動作に対するサポートを含んでもよい。100MHzの単一のコンポーネントキャリア帯域幅がサポートされてもよい。NRリソースブロックは、0.1msの持続時間にわたって、サブキャリア帯域幅が75kHzの12個のサブキャリアにまたがってもよい。各無線フレームは、10msの長さを有する、50個のサブフレームで構成され得る。結果として、各サブフレームは0.2msの長さを有することができる。各サブフレームは、データ送信用のリンク方向(すなわち、DLまたはUL)を示してもよく、サブフレームごとのリンク方向は、動的に切り替えられてもよい。各サブフレームは、DL/ULデータならびにDL/UL制御データを含んでもよい。ビームフォーミングがサポートされてもよく、ビーム方向が動的に構成されてもよい。プリコーディングを用いたMIMO送信もサポートされてもよい。DLにおけるMIMO構成は、最大で8個のストリームおよびUEごとに最大で2個のストリームを用いたマルチレイヤDL送信で最大で8個の送信アンテナをサポートしてもよい。UEごとに最大で2個のストリームを用いたマルチレイヤ送信がサポートされてもよい。最大で8個のサービングセルを用いて複数のセルのアグリゲーションがサポートされてもよい。代替として、NRは、OFDMベース以外の異なるエアインターフェースをサポートしてもよい。NRネットワークは、CUおよび/またはDUなどのエンティティを含んでもよい。
【００３８】
いくつかの例では、エアインターフェースへのアクセスがスケジュールされてもよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当してもよい。すなわち、スケジュールされた通信に対して、従属エンティティは、スケジューリングエンティティによって割り振られたリソースを利用する。基地局は、スケジューリングエンティティとして機能してもよい唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能してもよい。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能してもよい。メッシュネットワーク例では、UEは、スケジューリングエンティティと通信することに加えて、場合によっては互いに直接通信してもよい。
【００３９】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信してもよい。
【００４０】
上述のように、無線アクセスネットワーク(RAN)は、CUおよびDUを含んでもよい。NR BS(たとえば、gNB、5GノードB、ノードB、送信受信ポイント(TRP)、アクセスポイント(AP))は、1つまたは複数のBSに対応してもよい。NRセルは、アクセスセル(ACell)またはデータオンリーセル(DCell)として構成されてもよい。たとえば、RAN(たとえば、集約ユニットまたは分散ユニット)は、セルを構成することができる。DCellは、キャリアアグリゲーションまたは二重接続性に使用されるが、初期アクセス、セル選択/再選択、またはハンドオーバに使用されないセルであってもよい。場合によっては、DCellは同期信号を送信しないことがあり、場合によっては、DCellはSSを送信することがある。NR BSは、セルタイプを示すダウンリンク信号をUEに送信してもよい。セルタイプ指示に基づいて、UEはNR BSと通信してもよい。たとえば、UEは、示されたセルタイプに基づいて、セル選択用、アクセス用、ハンドオーバ用、および/または測定用と見なすべきNR BSを決定してもよい。
【００４１】
図2は、図1に示したワイヤレス通信システム内で実装されてもよい分散型無線アクセスネットワーク(RAN)200の例示的な論理アーキテクチャを示す。5Gアクセスノード206は、アクセスノードコントローラ(ANC)202を含んでもよい。ANCは、分散型RAN200の集約ユニット(CU)であってもよい。次世代コアネットワーク(NG-CN: Next Generation Core Network)204へのバックホールインターフェースは、ANCにおいて終端してもよい。近隣次世代アクセスノード(NG-AN)へのバックホールインターフェースは、ANCにおいて終端してもよい。ANCは、1つまたは複数のTRP208(BS、NR BS、ノードB、5G NB、AP、または何らかの他の用語で呼ばれることもある)を含んでもよい。上記で説明したように、TRPは「セル」と交換可能に使用されてもよい。
【００４２】
TRP208は、DUであってもよい。TRPは、1つのANC(ANC202)に接続されてもよく、または2つ以上のANC(図示せず)に接続されてもよい。たとえば、RAN共有、サービスとしての無線(RaaS: Radio as a Service)、およびサービス固有ANC配置に対して、TRPは2つ以上のANCに接続されてもよい。TRPは、1つまたは複数のアンテナポートを含んでもよい。TRPは、UEへのトラフィックを個別に(たとえば、動的選択)または一緒に(たとえば、共同送信)サービスするように構成されてもよい。
【００４３】
ローカルアーキテクチャ200は、フロントホール定義を示すために使用されてもよい。異なる展開タイプにわたるフロントホール(fronthauling)解決策をサポートするアーキテクチャが定義されてもよい。たとえば、アーキテクチャは、送信ネットワーク能力(たとえば、帯域幅、レイテンシ、および/またはジッタ)に基づいてもよい。
【００４４】
アーキテクチャは、特徴および/または構成要素をLTEと共有してもよい。態様によれば、次世代AN(NG-AN)210は、NRとの二重接続性をサポートしてもよい。NG-ANは、LTEおよびNRに対して共通フロントホールを共有してもよい。
【００４５】
アーキテクチャは、TRP208間の協働を可能にしてもよい。たとえば、協働は、TRP内に存在してもよく、かつ/またはANC202を経由してTRPにわたって事前設定されてもよい。態様によれば、TRP間インターフェースが必要とされない/存在しない場合がある。
【００４６】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置されてもよい。いくつかの態様によれば、BSは、集約ユニット(CU)(たとえば、ANC202)および/または1つもしくは複数の分散ユニット(たとえば、1つもしくは複数のTRP208)を含んでもよい。
【００４７】
図3は、本開示のいくつかの態様による、分散型RAN300の例示的な物理アーキテクチャを示す。集中型コアネットワークユニット(C-CU)302が、コアネットワーク機能をホストしてもよい。C-CUは、中央に配置されてもよい。C-CU機能は、ピーク容量に対処しようとして、(たとえば、アドバンストワイヤレスサービス(AWS)に)オフロードされてもよい。
【００４８】
集中型RANユニット(C-RU)304が、1つまたは複数のANC機能をホストしてもよい。場合によっては、C-RUは、コアネットワーク機能を局所的にホストしてもよい。C-RUは分散配置を有してもよい。C-RUは、ネットワークエッジのより近くにあってもよい。
【００４９】
DU306が、1つまたは複数のTRP(エッジノード(EN)、エッジユニット(EU)、無線ヘッド(RH)、スマート無線ヘッド(SRH)など)をホストしてもよい。DUは、無線周波数(RF)機能を備えたネットワークのエッジに位置してもよい。
【００５０】
図4は、本開示の態様を実施するために使用されてもよい、図1に示すBS110およびUE120の例示的な構成要素を示す。上記で説明したように、BSはTRPを含んでもよい。BS110およびUE120の1つまたは複数の構成要素は、本開示の態様を実践するために使用されてもよい。たとえば、UE120のアンテナ452、MOD/DEMOD454、プロセッサ466、458、464、および/もしくはコントローラ/プロセッサ480ならびに/またはBS110のアンテナ434、MOD/DEMOD432、プロセッサ420、430、438、および/もしくはコントローラ/プロセッサ440が、本明細書で説明され、図9〜図10を参照しながら示される動作を実行するために使用され得る。一例では、UE120は、V2X動作のために構成された車両を備える。車両のアンテナ452、MOD/DEMOD454、プロセッサ466、458、464、および/またはコントローラ/プロセッサ480は、本明細書で説明する動作を実行する。一例では、これらの構成要素は、車両と、別の車両などの少なくとも1つの第2のワイヤレスデバイスとの間のワイヤレス通信のための環境に関する情報を取得し、その情報に基づいて1つの送信または送信のグループのための1つまたは複数の動作パラメータを調整する。態様では、送信はV2V送信である。態様では、情報は、第1のサービスを使用して車両によって取得され、パラメータは、第2のサービスに対して調整される。態様では、第1および第2のサービスは、異なるRAN内で動作する。
【００５１】
態様によれば、制限された接続シナリオの場合、基地局110は図1のマクロBS110cであってもよく、UE120はUE120yであってもよい。基地局110はまた、何らかの他のタイプの基地局であってもよい。基地局110は、アンテナ434a〜434tを備えることができ、UE120は、アンテナ452a〜452rを備えることができる。
【００５２】
基地局110において、送信プロセッサ420は、データソース412からデータを受信し、コントローラ/プロセッサ440から制御情報を受信してもよい。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってもよい。データは、物理ダウンリンク共有チャネル(PDSCH)などに関するものであってもよい。プロセッサ420は、データおよび制御情報を処理(たとえば、符号化およびシンボルマッピング)して、それぞれデータシンボルおよび制御シンボルを取得することができる。プロセッサ420はまた、たとえばPSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してもよい。
【００５３】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。
【００５４】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してもよい。送信プロセッサ464はまた、基準信号のための基準シンボルを生成してもよい。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてもよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得してもよい。受信プロセッサ438は、データシンク439に復号されたデータを提供し、コントローラ/プロセッサ440に復号された制御情報を提供してもよい。
【００５５】
コントローラ/プロセッサ440および480は、それぞれ基地局110およびUE120における動作を指示してもよい。車両であり得るUE120におけるプロセッサ480および/または他のプロセッサならびにモジュールは、たとえば、図9に示す機能ブロックおよび/または本明細書で説明する技法に対する他のプロセスを実行し得るかまたはそれらの実行を指示し得る。メモリ442および482は、それぞれBS110およびUE120のためのデータおよびプログラムコードを記憶してもよい。スケジューラ444は、ダウンリンクおよび/またはアップリンク上でのデータ送信のためにUEをスケジューリングしてもよい。態様では、車両におけるスケジューラが、ネットワークを伴うことなくUEの送信および受信をスケジュールする。態様では、車両の送信および受信は車両によって決定され、コントローラ/プロセッサ480によって実施される。
【００５６】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装されてもよい。コロケート実装形態および非コロケート実装形態は、たとえばネットワークアクセスデバイス(たとえば、AN、CU、および/もしくはDU)またはUEのためのプロトコルスタックの中で使用されてもよい。
【００５７】
第1のオプション505-aは、プロトコルスタックの実装が集中ネットワークアクセスデバイス(たとえば、図2のANC202)と分散ネットワークアクセスデバイス(たとえば、図2のTRP/DU208)との間で分割される、プロトコルスタックの分割実装形態を示す。第1のオプション505-aでは、RRCレイヤ510およびPDCPレイヤ515は、集約ユニットによって実装されてもよく、RLCレイヤ520、MACレイヤ525、およびPHYレイヤ530は、DUによって実装されてもよい。様々な例では、CUおよびDUは、コロケートされてもよく、またはコロケートされなくてもよい。第1のオプション505-aは、マクロセル配置、マイクロセル配置、またはピコセル配置において有用であってもよい。
【００５８】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装されてもよい。第2のオプション505-bは、フェムトセル配置において有用であってもよい。
【００５９】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してもよい。
【００６０】
図6は、NRのためのフレームフォーマット600の一例を示す図である。ダウンリンクおよびアップリンクの各々に対する送信タイムラインは、無線フレームの単位に区分されてもよい。各無線フレームは、所定の持続時間(たとえば、10ms)を有してよく、各々が1msの、0〜9というインデックスを有する10個のサブフレームに区分され得る。各サブフレームは、サブキャリア間隔に応じて可変数のスロットを含んでよい。各スロットは、サブキャリア間隔に応じて可変数のシンボル期間(たとえば、7個または14個のシンボル)を含んでよい。各スロットの中のシンボル期間は、インデックスが割り当てられてよい。サブスロット構造と呼ばれることがあるミニスロットとは、スロットよりも持続時間が短い(たとえば、2、3、または4シンボルの)送信時間間隔を指す。
【００６１】
スロット内の各シンボルは、データ送信用のリンク方向(たとえば、DL、UL、またはフレキシブル)を示してもよく、サブフレームごとのリンク方向を動的に切り替えられてもよい。リンク方向は、スロットフォーマットに基づき得る。各スロットは、DL/ULデータならびにDL/UL制御情報を含み得る。
【００６２】
NRにおいて、同期信号(SS)ブロックが送信される。SSブロックは、PSS、SSS、および2シンボルのPBCHを含む。SSブロックは、図6に示すようなシンボル0〜3などの、固定のスロットロケーションの中で送信され得る。PSSおよびSSSは、セル探索およびセル捕捉のためにUEによって使用されてもよい。たとえば、SSブロックの中のチャネルのうちの1つまたは複数は、測定のために使用され得る。そのような測定は、無線リンク管理(RLM)、ビーム管理など、様々な目的で使用され得る。UEは、セル品質を測定してよく、品質を測定報告の形態で報告し戻してよく、測定報告は、ビーム管理および他の目的のために基地局によって使用され得る。PSSは、ハーフフレームタイミングを提供することができ、SSは、CP長およびフレームタイミングを提供することができる。PSSおよびSSSは、セル識別情報を提供し得る。PBCHは、ダウンリンクシステム帯域幅、無線フレーム内のタイミング情報、SSバーストセット周期性、システムフレーム番号などの、いくつかの基本システム情報を搬送する。
【００６３】
いくつかの状況では、2つ以上の従属エンティティ(たとえば、UE)はサイドリンク信号を使用して互いに通信することができる。そのようなサイドリンク通信の現実の適用例は、公共安全、近接サービス、UEからネットワークへの中継、車両間(V2V)通信、インターネットオブエブリシング(IoE: Internet of Everything)通信、IoT通信、ミッションクリティカルメッシュ、および/または様々な他の適切な適用例を含んでもよい。一般に、サイドリンク信号は、スケジューリングおよび/または制御のためにスケジューリングエンティティが利用されてもよいにもかかわらず、スケジューリングエンティティ(たとえば、UEまたはBS)を通じてその通信を中継せずに、ある従属エンティティ(たとえば、UE1)から別の従属エンティティ(たとえば、UE2)に通信される信号を指す場合がある。いくつかの例では、サイドリンク信号は、(通常は無認可スペクトルを使用するワイヤレスローカルエリアネットワークとは異なり)認可スペクトルを使用して通信されてもよい。
【００６４】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作してもよい。RRC専用状態において動作するとき、UEは、パイロット信号をネットワークに送信するために、リソースの専用セットを選択してもよい。RRC共通状態において動作するとき、UEは、パイロット信号をネットワークに送信するために、リソースの共通セットを選択してもよい。いずれの場合も、UEによって送信されるパイロット信号は、ANもしくはDU、またはそれらの部分などの1つまたは複数のネットワークアクセスデバイスによって受信されてもよい。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成されてもよい。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用してもよい。
【００６５】
LTEビークルツーエブリシング通信(LTE-V2X)は、交通安全および運転経験を向上させるために基本的車両ワイヤレス通信に対処するための技術として開発されている。他のシステムでは、ニューラジオビークルツーエブリシング通信(NR-V2X)が、交通安全および運転経験をさらに向上させるために、より進化した通信使用事例をカバーする追加の技術として開発されている。カバーされる周波数に対する非限定的な実施形態は、たとえば、3GHzから5GHzであり得る。以下で説明するように、V2Xシステムの方法および装置は、LTE-V2XとNR-V2Xの両方、ならびに他の周波数に適用可能であり得る。したがって、LTE-V2XおよびNR-V2Xによってカバーされる周波数スペクトル以外の周波数スペクトルもまた、本明細書に適用可能であるものと見なされ、そのため、本開示は、限定と見なされるべきではない。
【００６６】
図7および図8で与えられるV2Xシステムは、2つの相補的送信モードを提供する。第1の送信モードは、ローカルエリア内の参加者間の直接通信を伴う。そのような通信が、図7に示されている。第2の送信モードは、図8に示すように、ネットワーク800を介するネットワーク通信を伴う。
【００６７】
図7を参照すると、第1の送信モード700は、所与の地理的ロケーション内の異なる参加者間の直接通信を可能にする。図示のように、車両は、PC5インターフェースを介して個人との通信(V2P)を有することができる。車両と別の車両との間の通信(V2V)もまた、PC5インターフェースを介して発生し得る。同様の方法で、通信が、PC5インターフェースを介して車両から信号機などの他のハイウェイ構成要素へと(V2I)発生し得る。図示の各実施形態では、双方向通信を要素間で行うことができ、したがって、各要素は、情報の送信機および受信機であり得る。提供される構成では、第1の送信モードは自己管理システムであり、ネットワーク支援は提供されない。そのような送信モードは、移動中の車両に対するハンドオーバ動作の間にネットワークサービスの中断が発生しないので、低減されたコストおよび向上した信頼性をもたらす。リソース割当ては事業者間の調整を必要とせず、ネットワークへの加入は不要であるので、したがって、そのような自己管理システムに対して複雑さが低減される。
【００６８】
一例では、V2Xシステムは、5.9GHzのスペクトル内で動作するように構成され、したがって、搭載システムを有する任意の車両は、この共通の周波数にアクセスして、情報を共有し得る。そのような調和のとれた/共通のスペクトル動作は、安全動作を可能にする。V2X動作は、同様に、異なるチャネル上に置かれることによって802.11p動作と共存し得、したがって、既存の802.11p動作が、V2Xシステムの導入によって妨げられることはない。一例では、V2Xシステムは、基本的安全サービスを記述/包含する10MHz帯域内で動作され得る。他の非限定的実施形態では、V2Xシステムは、上記で説明した基本的安全サービスに加えて、進化した安全サービスをサポートし得る。別の例では、V2Xシステムは、幅広い様々なデバイスとインターフェースするように構成された5G NR V2X構成内で使用され得る。5G NR V2X構成を利用することによって、ダウンロードおよびアップロードに対して数ギガビット毎秒のレートが提供され得る。5G NR V2X構成を使用するV2Xシステムでは、厳しいワイヤレス環境においてもV2Xシステムの動作を強化するために、レイテンシは低く、たとえば1msに保たれる。
【００６９】
図8を参照すると、2つの相補的送信モード800のうちの第2のモードが示されている。図示の実施形態では、車両は、ネットワーク通信を介して別の車両と通信し得る。これらのネットワーク通信は、車両間で情報を送りかつ受信する、eNodeBなどの個別ノードを介して発生し得る。ネットワーク通信は、たとえば、約1マイル先の事故の存在に言及するなど、車両間の長距離通信のために使用され得る。交通の流れの状態、道路障害物警告、環境/気象報告、サービスステーションの利用可能性、および他の同様のデータなど、他のタイプの通信が、ノードによって車両に送られ得る。データは、クラウドベースの共有サービスから取得することができる。
【００７０】
ネットワーク通信に対して、リアルタイム情報がV2Xユーザ間で共有されることを可能にするために、より高くカバーされるエリア内で利益を得るために、宅内サービスユニット(RSU:residential service unit)が、4G/5G小セル通信技術とともに利用され得る。RSUの数が減少するにつれて、V2Xシステムは、必要に応じて小セル通信により多く依存し得る。
【００７１】
図7および図8に示す2つの相補的送信モードのいずれかにおいて、上位レイヤが、輻輳制御パラメータを調整するために活用され得る。高密度に車両を展開するエリアでは、そのような機能のために上位レイヤを使用することで、下位のPHY/MACレイヤに対する輻輳制御に起因して、下位レイヤ上で向上した性能がもたらされる。
【００７２】
V2X技術を使用する車両システムは、802.11p技術を超える顕著な利点を有する。従来の802.11p技術は限られたスケーリング能力を有し、アクセス制御に問題があり得る。V2X技術では、互いに離れている2つの車両は、拒否されるアクセス要求がないので、問題なく同じリソースを使用し得る。これらのV2X技術は、移動中の車両に対してもレイテンシ要件を満足するように設計され、したがって、適時にリソースをスケジュールしてリソースにアクセスすることが可能になるので、V2X技術は、802.11p技術を超える利点も有する。
【００７３】
見通しの悪いカーブのシナリオの事例では、道路状態が、車両に対する意思決定機会において不可欠な役割を果たす場合がある。V2X通信は、停車距離推定が車両ごとに実行され得る場合、運転者にかなりの安全性を提供することができる。これらの停車距離推定は、見通しの悪いカーブなどのコース付近を、より大きい車両安全性を有して交通が流れながら、進行速度および効率を最大化することを可能にする。
【００７４】
サービス間情報による向上した物理レイヤ性能
上記で説明したように、サイドリンク通信は、UEまたは車両などの2つの従属エンティティが互いに直接通信することを指す。一例では、V2V通信では、第1の車両は、そのロケーション、速度、および/または軌跡情報を、周期的に送信する。1つまたは複数の第2の車両は、この情報を受信して、環境のより良い理解を得る。これは、より安定した道路環境を生成するのを助ける。
【００７５】
前進しながら、車両は、より進化したアプリケーションおよびサービスを装備され得る。たとえば、車両は、センサを装備されてよく、車両は、センサを使用して収集された情報を互いに共有し得る。一例では、自律運転車両は、物理環境認識を得るために、周囲の車両から受信されたセンサデータ、速度、および/または軌跡情報を使用し得る。これらのアプリケーションのいくつかは、高いサービス品質を必要とする場合がある。
【００７６】
本開示の態様は、あるアプリケーションまたはサービスによって決定された情報を活用して、別のアプリケーションまたはサービスを向上させる。一例では、サービスは、第1のRATおよび第2のRAT上で送られ得る(それらを使用して実行され得る)。UEは、そのサービスによって提供される情報を活用して、第1のRATと第2のRATの両方を構成し得る。説明のために、サービスは、基本的安全サービスまたは協調認識サービスであり得る。第1のRATはLTE V2Xであり得、第2のRATはNR V2Xであり得る。LTE V2X上の基本的安全サービスからの情報は、LTE V2XとNR V2Xの両方を強化するために使用され得る。サービスの他の例は、プラトーン走行、センサ共有(生データおよび処理データ)、協調操縦、および測位を含む。一例では、第1のサービスは、第1のRATによって提供され、第1のサービスからの情報は、第2のRATによって提供される別のサービスを向上させるために使用される。
【００７７】
典型的なワイヤレス通信システムでは、音声およびビデオなどのサービスは、下位のネットワークレイヤ(たとえば、PHY/MACレイヤ)内で個別に取り扱われる。音声およびビデオなどのサービスは、PHYレイヤおよびMACレイヤにおいて互いに通信し得、それゆえ音声はビデオと同期されるが、現在の方法は、第2の異なるRAT内のサービスを向上させるために第1のRAT内の第1のサービス内で取得された情報を活用しない。
【００７８】
本開示の態様によれば、第1のRAT内のサービスからの情報は、第1のRATならびに第2の異なるRATのためのパラメータを構成するために活用される。第1のRAT内のサービスからの情報は、第2のRAT内のサービスをより良くサービスするために使用され、それによって、第2のRAT内のアプリケーションが向上する。一例では、第1のRAT内のサービスは、基本的安全サービスまたは協調認識サービスであり得る。一例では、車両は、2つの異なる技術またはRAT、すなわちLTE V2XおよびNR V2X内で動作し得る。第1のRATはLTE V2Xであり得、第2のRATはNR V2Xであり得る。LTE V2Xはアプリケーションの第1のセットを実行し得、NR V2Xはアプリケーションの第2のセットを実行し得る。本明細書で説明するように、LTE V2Xアプリケーションからの情報は、NR V2Xアプリケーションを向上させるために使用され得る。一例では、プラトーン走行、センサ共有(生データおよび処理データ)、協調操縦、および正確な測位などのサービスは、第2のRAT(NR V2X)内のサービスであり得る。
【００７９】
態様では、V2X動作パラメータは、サービス間情報交換(たとえば、物理レイヤおよび/またはMACレイヤにおける、LTE内の第1のサービスとNR内の別のサービスとの間の交換)に基づいて調整される。そのようなサービス間情報交換は、異なるサービスが異なるネットワークレイヤ内で個別に取り扱われ、さらに第1のRAT内のサービスが第2のRAT内のサービスと情報を共有しない、従来のワイヤレス通信とは基本的に異なる場合がある。PHY/MACパラメータ(たとえば、MCS、送信および/または受信に使用されるアンテナポートの数、多重化された空間レイヤの数、RSパターン、ならびに送信電力)は、ネットワークによって制御されるのではなく、交換された情報および車両能力に基づいて各車両に対して自律的に設定され得るので、サービス間手法はV2Xに対して好適であり得る。中央ネットワーク制御を欠いているため、サービス間手法は、各車両がそのワイヤレス環境に基づいてパラメータを柔軟に管理することを可能にする。以下で説明するように、これは、車両によって使用されるオーバーヘッドリソースを低減する。
【００８０】
場合によっては、基準信号パターンは、車両速度または別のデバイスとの相対速度に基づいて調整され得る。同じ方向に異なる速度で移動中の2つの車両は、それらの速度の差に等しい相対速度を有する。反対方向に移動中の2つの車両は、それらの速度の合計に等しい相対速度を有する。
【００８１】
車両は、その速度を認識しており、LTE V2X基本的安全送信内で第2の車両の速度および場合によっては方向を示す情報を受信する。態様によれば、車両は、受信された第2の車両の速度および随意に方向の情報を使用して、送信のための基準信号パターンを決定する。したがって、基準信号のタイプおよび基準信号の時間-周波数密度が、送信側車両の速度または2つの車両間の相対的車両速度など、様々なパラメータに従って送信され得る。基準信号のタイプは、たとえば、RS送信に使用されるアンテナポートの数またはRS送信に使用される空間レイヤの数を指す。
【００８２】
態様によれば、異なる基準信号パターンが使用されてよく、各パターンは、異なる車両速度または相対速度に対応する。態様によれば、サポートされる最大相対速度は、6GHzの周波数において500km/h(反対方向に250km/h)である。
【００８３】
第1のRSパターン(たとえば、時間周波数パターン)は、2つの車両間の低い相対速度(最大で256QAMまでの全変調)と送信側車両の適度に高い速度における低いMCSとをサポートする「通常」パターンである。一例では、時間領域における基準信号密度では、1つのRSが8個のOFDMシンボルごとに送信される。
【００８４】
第2のパターンでは、1つのRSが4つのOFDMシンボルごとに送信される。この第2のパターンは、送信側車両の高い速度(最大で280km/hまでの相対速度)と、第1のパターンと比較してより高いMCS(最大で64直交振幅変調まで)とをサポートするために使用される。
【００８５】
第3のパターンでは、1つのRSが2つのOFDMシンボルごとに送信される。第3のパターンは、第1および第2のパターンより高い(最大で500km/hrまで)車両速度をサポートするために使用される。大量のRSオーバーヘッドが、第3のパターンの極めて高い車両速度をサポートするために必要であり、したがって、第3のパターンは、必要なときだけ高いオーバーヘッドは使用されるように、実際のまたは推定された車両速度と、送信機と受信機との間の実際のまたは推定された相対速度に基づくことが望ましい。より低い送信機速度または相対速度において、RSパターンは、過度のリソース消費を低減し、したがってRSオーバーヘッドを低減するために、第3のパターンから第2のパターンまたは第1のパターンに切り替わってよい。
【００８６】
V2Xトラフィックは、高いボリュームおよびロケーション依存性トラフィックを有する。これは、マルチキャスト送信に類似するが、V2X通信では、受信機のセットはあらかじめ決められてはいない。V2X通信では、受信機のセットが、送信されたデータに基づいてリアルタイムで決定され、受信機は、それらが特定のタイプの情報を受信することを欲するかどうかを決定する。一態様では、1ビットが、V2X送信内で送信される情報のタイプを示し、各受信機は、それがその情報を受信することを欲するか否かを、そのビットに基づいて決定する。一例では、各車両受信機は、それが特定の情報を受信することを欲するかどうかを、そのロケーションおよび移動情報に基づいて決定する。態様によれば、受信機が送信側車両からの再送信をトリガするように望むパケットについてのデータを受信機が復号できない場合、受信機は物理レイヤ否定応答(NACK)を送信する。送信機の観点から、車両は、対象とする受信機を知らない。
【００８７】
上記の説明に見られるように、V2V通信環境内の車両の速度を含むロケーションおよび移動情報は、送信パラメータと、どんな情報を車両が受信するかとを決定するために使用される。ロケーションおよび移動情報は、いくつかの特徴をオンまたはオフにするためにも使用され得る。したがって、ロケーションおよび移動情報は、異なるサービスに対するPHYおよびMACレイヤなど、下位のネットワークレイヤにおいて必要になる。この情報は、異なるサービスのアプリケーションレイヤにおいてすでに利用可能である。たとえば、車両自体の速度およびロケーションは、GPSサービス、慣性センサ、またはロケーションエンジンサービスを使用して、アプリケーションレイヤにおいて知られている。周囲の車両の速度およびロケーション(LOS)は、測距センサ(レーダー、ライダー)またはカメラを使用してアプリケーションセンサにおいて知られている。周囲の車両速度およびロケーション(NLOS)は、基本的安全サービス(基本的安全メッセージ(BSM)、協調認識メッセージ(CAM)、または分散型環境通知メッセージ(DEMN:Decentralized Environmental Notification Messageメッセージ))を使用してアプリケーションレイヤにおいて知られている。態様によれば、車両は、1つのサービスからの情報を活用して、別のサービスに対するパラメータを調整する。
【００８８】
V2X通信内のネットワークの役割は、それが車両に対して提示されるとき、異なるシナリオに対してすべての可能なPHY/MACパラメータのセットを設定することによって、各車両における上記のプロセスを容易にすることである。非限定的な一例では、PHY/MACパラメータの設定は、RRCシグナリングを介して実行され得る。ネットワークは、ネットワークトポロジー、車両密度、速度範囲などについてのグローバル情報を有するので、V2Xネットワークは、この機能を実行し得る。一例では、基準信号パターンが設定され得る。ゆっくり移動する車両トラフィックが多数存在することがある都市のシナリオでは、ネットワークは、唯一の可能なパターン(サポートされる速度は遅く、同様に、より低い基準信号オーバーヘッドはより良いスペクトル効率を可能にする)となるように、基準信号パターン1を構成してよい。対照的に、ハイウェイのシナリオに対して、ネットワークは、高い速度をサポートするために、いくつかの(たとえば、第1、第2および第3のRSパターンの)可能な基準信号パターンを構成することができる。したがって、ネットワークは、たとえば、車両による使用のために利用可能なRSパターンの限定されたセットが示されるなど、パラメータを調整するための車両オプションを制限する場合がある。
【００８９】
対処すべき追加の問題は、他のサービスからの情報を受信することを可能にするために、PHY/MACパラメータが送信機と受信機との間でトランスペアレントでなければならないことである。この情報は、限定はしないが、アンテナポートに対する数、MCS、基準信号パターンなどを含む。従来のネットワークでは、これらのパラメータの大部分は、半静的パラメータ(アンテナポートの数、RXパターンなど)に対して構成するRRCと物理制御チャネル(MCSなど)との組合せを介して設定される。これは、通信がネットワークとUEとの間であるので可能である。V2Xに対して、通信は車両間で直接行われるので、それらのパラメータは、制御チャネル上のみで通信される。上記に対する別の理由は、使用されるPHY/MACパラメータをより動的に変化させる、車両UEの高いモビリティである。
【００９０】
本開示の態様によれば、ネットワークは、異なるサービス、たとえば、インターネットオブエブリシング(IoE)、URLLC、eMBB、車両通信(すなわち、車両間(V2V)、車両インフラ間(V2I)、車両歩行者間(V2P:vehicle-to-pedestrian)、車両ネットワーク間(V2N:vehicle-to-network)などのV2X)などをサポートし得る。
【００９１】
図9を参照すると、第1のワイヤレスデバイスによるワイヤレス通信のための方法900が示されている。第1のワイヤレスデバイスは、たとえば、V2X通信システム(またはV2X通信を可能にする任意のデバイス)を装備された車両であり得る。
【００９２】
方法900の第1のステップは、902において、第1のワイヤレスデバイスと少なくとも1つの第2のワイヤレスデバイスとの間のワイヤレス通信のための環境に関する情報を取得するステップを提供する。一例では、第1のワイヤレスデバイスおよび第2のワイヤレスデバイスは、V2X通信システムを搭載された車両であり得る。902において取得された情報は、第1のワイヤレスデバイスの速度およびロケーション、第2のワイヤレスデバイスの速度およびロケーション、または第1のワイヤレスデバイスと第2のワイヤレスデバイスとの間の相対速度のうちの少なくとも1つを含み得る。情報は、干渉のパターンまたは受信機のモビリティの表示を提供し得る。この情報は取得され、車両によるサービス間で共有され得る。
【００９３】
904において、第1のワイヤレスデバイスは、その情報に基づいてワイヤレス通信のための1つまたは複数の動作パラメータを調整する。動作パラメータは、送信のグループに対するものであり得る。したがって、動作パラメータは、ステップ902からの決定された情報に基づいて変化する場合がある。
【００９４】
904において調整された動作パラメータは、変調およびコーディング方式(MCS)を含み得る。他の実施形態では、情報は、ターゲットのデータレート、ターゲットのリンクバジェット、および速度であり得る。さらに他の態様では、調整することは、ターゲットのデータレート、ターゲットのリンクバジェット、および速度に基づいて、MCS、基準信号(RS)パターン、および多入力多出力(MIMO)モードの組合せを選択することであり得る。態様によれば、MIMOモードは、送信のために選択され得る。一例では、MIMOは、チャネル散乱が十分であり、SNRが高い(たとえば、範囲がより近い)ときに選択され得る。散乱が低い(十分でない)ときまたは範囲が広いとき、送信ダイバーシティ技法(小巡回遅延ダイバーシティ(SCDD:small cyclic delay diversity)、空間周波数ブロック符号(SFBC:space frequency block codes)、空間-時間ブロック符号(STBC:space-time block codes))が、MIMOの代わりに使用され得る。それにもかかわらず、動作パラメータは、情報がステップ902において取得されたサービスと異なるサービスと関連付けられる。
【００９５】
態様によれば、ビームフォーミング送信モードまたは空間多重化モードが、第1のワイヤレスデバイスと第2のワイヤレスデバイスとの間の距離に基づいて選択される。ビームフォーミングは、長距離をターゲットにするユニキャスト送信のために使用され得る。
【００９６】
場合によっては、方法は、906において、あるマルチキャスト情報(certain multicast information)を受信することを、(たとえば、902において取得されたロケーションおよび移動情報に基づいて)決定することで継続し得る。決定が、あるマルチキャスト情報を受信することであれば、908において、ワイヤレスデバイスは、あるマルチキャスト情報の送信(または再送信)をトリガするためにフィードバックを送り得る。マルチキャスト情報は、デバイス間(D2D)またはV2X通信を含み得る。デバイスがマルチキャスト情報の初期送信の復号に成功することができなかった場合、フィードバックは、たとえば、否定応答(NACK)であり得る。このようにして、マルチキャスト情報を送信するソースは、最初にデバイスを認識しないことがあるが、フィードバックがソースを認識させ、再送信をトリガする。
【００９７】
図10は、図10に示す動作および本明細書で説明して図に示す他の態様など、本明細書で開示する技法のための動作を実行するように構成された様々な構成要素(たとえば、ミーンズプラスファンクション構成要素に対応する)を含み得る通信デバイス1000を示す。通信デバイス1000は、トランシーバ1008に結合された処理システム1002を含む。トランシーバ1008は、本明細書で説明するような様々な信号など、アンテナ1010を介して通信デバイス1000用の信号を送信および受信するように構成される。処理システム1002は、通信デバイス1000によって受信された信号および/または送信されるべき信号を処理することを含む、通信デバイス1000のための処理機能を実行するように構成され得る。
【００９８】
処理システム1002は、バス1006を介してコンピュータ可読媒体/メモリ1012に結合されたプロセッサ1004を含む。いくつかの態様では、コンピュータ可読媒体/メモリ1012は、プロセッサ1004によって実行されると、プロセッサ1004に、図9に示す動作、または情報をサービス間で共有するために本明細書で説明する様々な技法を実行するための他の動作を実行させる命令(たとえば、コンピュータ実行可能コード)を記憶するように構成される。いくつかの態様では、コンピュータ可読媒体/メモリ1012は、環境に関する情報を取得するためのコード1014と、第1のサービス内で受信された情報に基づいて第2のサービスに対するパラメータを調整するためのコード1016と、場合によってはマルチキャスト情報または他のV2X送信を受信するかどうかを車両に知られている情報に基づいて決定するためのコード1018とを記憶する。
【００９９】
いくつかの態様では、プロセッサ1004は、コンピュータ可読媒体/メモリ1012内に記憶されたコードを実装するように構成された回路を有する。プロセッサ1004は、コード1014、1016および1018に類似する回路(図示せず)を含む。
【０１００】
本明細書で開示する方法は、説明した方法を実現するための1つまたは複数のステップまたはアクションを含む。方法ステップおよび/またはアクションは、特許請求の範囲の範囲から逸脱することなく互いに入れ替えられてもよい。言い換えれば、ステップまたはアクションの特定の順序が指定されない限り、特定のステップおよび/またはアクションの順序および/または使用は、特許請求の範囲の範囲から逸脱することなく修正されてもよい。
【０１０１】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１０２】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでもよい。また、「決定すること」は、受信すること(たとえば、情報を受信すること)、アクセスすること(たとえば、メモリ内のデータにアクセスすること)などを含んでもよい。また、「決定すること」は、解決すること、選択すること、選出すること、確立することなどを含んでもよい。
【０１０３】
場合によっては、デバイスは、フレームを実際に送信するのではなく、送信のためのフレームを出力するインターフェースを有し得る。たとえば、プロセッサは、送信のためにバスインターフェースを介してRFフロントエンドにフレームを出力し得る。同様に、デバイスは、フレームを実際に受信するのではなく、別のデバイスから受信したフレームを取得するためのインターフェースを有し得る。たとえば、プロセッサは、送信のためにRFフロントエンドからバスインターフェースを介してフレームを取得(または受信)し得る。
【０１０４】
上記で説明した方法の様々な動作は、対応する機能を実行することが可能な任意の適切な手段によって実行されてもよい。手段は、限定はしないが、回路、特定用途向け集積回路(ASIC)、またはプロセッサを含む、様々なハードウェアおよび/またはソフトウェア構成要素および/またはモジュールを含んでもよい。一般に、図に示す動作がある場合、それらの動作は、同様の番号を付された対応する同等のミーンズプラスファンクション構成要素を有してもよい。
【０１０５】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行されてもよい。汎用プロセッサは、マイクロプロセッサであってもよいが、代替として、プロセッサは、任意の市販のプロセッサ、コントローラ、マイクロコントローラ、または状態機械であってもよい。プロセッサはまた、コンピューティングデバイスの組合せ、たとえばDSPとマイクロプロセッサとの組合せ、複数のマイクロプロセッサ、DSPコアと連携した1つもしくは複数のマイクロプロセッサ、または任意の他のそのような構成として実装されてもよい。
【０１０６】
ハードウェアにおいて実装される場合、例示的なハードウェア構成は、ワイヤレスノード内の処理システムを含んでもよい。処理システムは、バスアーキテクチャを用いて実装されてもよい。バスは、処理システムの特定の適用例および全体的な設計制約に応じて、任意の数の相互接続バスおよびブリッジを含んでもよい。バスは、プロセッサ、機械可読媒体、およびバスインターフェースを含む様々な回路を互いにリンクさせてもよい。バスインターフェースは、バスを介して、とりわけ処理システムにネットワークアダプタを接続するために使用されてもよい。ネットワークアダプタは、PHYレイヤの信号処理機能を実装するために使用されてもよい。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でもよく知られており、したがってこれ以上は説明しない。プロセッサは、1つまたは複数の汎用プロセッサおよび/または専用プロセッサを用いて実装されてもよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１０７】
ソフトウェアにおいて実装される場合、機能は、1つまたは複数の命令またはコードとしてコンピュータ可読媒体上に記憶されるか、またはコンピュータ可読媒体を介して送信されてもよい。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担ってもよい。コンピュータ可読記憶媒体は、プロセッサがその記憶媒体から情報を読み取ることができ、かつその記憶媒体に情報を書き込むことができるようにプロセッサに結合されてもよい。代替として、記憶媒体は、プロセッサと一体であってもよい。例として、機械可読媒体は、送信線路、データによって変調された搬送波、および/またはワイヤレスノードとは別個の命令が記憶されたコンピュータ可読記憶媒体を含んでもよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてもよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあってもよい。機械可読媒体はコンピュータプログラム製品内で具現化されてもよい。
【０１０８】
ソフトウェアモジュールは、単一の命令または多くの命令を含んでもよく、いくつかの異なるコードセグメントにわたって、異なるプログラム間で、また複数の記憶媒体にわたって分散されてもよい。コンピュータ可読媒体は、いくつかのソフトウェアモジュールを含んでもよい。ソフトウェアモジュールは、プロセッサなどの装置によって実行されると、処理システムに様々な機能を実行させる命令を含む。ソフトウェアモジュールは、送信モジュールと受信モジュールとを含んでもよい。各ソフトウェアモジュールは、単一の記憶デバイス内に存在しても、または複数の記憶デバイスにわたって分散されてもよい。例として、トリガイベントが発生したときに、ソフトウェアモジュールは、ハードドライブからRAMにロードされてもよい。ソフトウェアモジュールの実行中、プロセッサは、アクセス速度を高めるために、命令のうちのいくつかをキャッシュにロードしてもよい。1つまたは複数のキャッシュラインが、次いでプロセッサによって実行されるように汎用レジスタファイルにロードされてもよい。以下でソフトウェアモジュールの機能に言及する場合、そのような機能は、そのソフトウェアモジュールからの命令を実行するときにプロセッサによって実装されることが理解されよう。
【０１０９】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでもよい。加えて、他の態様の場合、コンピュータ可読媒体は、一時的コンピュータ可読媒体(たとえば、信号)を含んでもよい。上記の組合せもコンピュータ可読媒体の範囲に含まれるべきである。
【０１１０】
さらに、本明細書で説明する方法および技法を実行するためのモジュールおよび/または他の適切な手段は、適用可能な場合、ユーザ端末および/または基地局によってダウンロードおよび/または別の方法で取得されてもよいことを理解されたい。たとえば、そのようなデバイスは、本明細書で説明する方法を実行するための手段の転送を容易にするためにサーバに結合されてもよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてもよい。さらに、本明細書で説明する方法および技法をデバイスに提供するための任意の他の適切な技法が利用されてもよい。
【０１１１】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてもよい。
【符号の説明】
【０１１２】
100  ワイヤレスネットワーク
102a  マクロセル
102b  マクロセル
102c  マクロセル
102x  ピコセル
102y  フェムトセル
102z  フェムトセル
110  BS、基地局
110a  BS
110b  BS
110c  BS、マクロBS
110r  中継局
110x  BS
110y  BS
110z  BS
120  UE、ユーザ機器
120r  UE
120x  UE
120y  UE
130  ネットワークコントローラ
200  分散型無線アクセスネットワーク(RAN)、分散型RAN
202  アクセスノードコントローラ(ANC)
204  次世代コアネットワーク(NG-CN)
206  5Gアクセスノード
208  TRP、TRP/DU
210  次世代AN(NG-AN)
300  分散型RAN
302  集中型コアネットワークユニット(C-CU)
304  集中型RANユニット(C-RU)
306  DU
412  データソース
420  プロセッサ、送信プロセッサ
430  プロセッサ、送信(TX)多入力多出力(MIMO)プロセッサ
432  MOD/DEMOD、変調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  MOD/DEMOD、復調器
454a〜454r  復調器(DEMOD)
456  MIMO検出器
458  プロセッサ、受信プロセッサ
460  データシンク
462  データソース
464  プロセッサ、送信プロセッサ
466  プロセッサ、TX MIMOプロセッサ
480  コントローラ/プロセッサ
482  メモリ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  フレームフォーマット
700  第1の送信モード
800  ネットワーク、相補的送信モード
900  方法
1000  通信デバイス
1002  処理システム
1004  プロセッサ
1006  バス
1008  トランシーバ
1010  アンテナ
1012  コンピュータ可読媒体/メモリ
1014  コード
1016  コード
1018  コード
【図１】
2021510956.tif 000003
【図２】
2021510956.tif 000004
【図３】
2021510956.tif 000005
【図４】
2021510956.tif 000006
【図５】
2021510956.tif 000007
【図６】
2021510956.tif 000008
【図７】
2021510956.tif 000009
【図８】
2021510956.tif 000010
【図９】
2021510956.tif 000011
【図１０】
2021510956.tif 000012
【国際調査報告】
2021510956.tif 000013
2021510956.tif 000014